(57)【要約】【課題】情報端末装置において未実施の行動予定（行動スケジュール）を直ちにしかも容易に把握することができるようにする。【解決手段】情報端末装置は予め入力された行動予定に基づいて、行動予定に応じた行動を促すための行動催促報知を行うとともに行動予定の一覧を示す一覧表画面を表示する機能を有している。ＣＰＵ２１は行動催促報知の各々について了解した旨の了解操作が行われたか否かを判定して、了解操作が行われなかったと判定すると、所定の入力操作に応じて了解操作が行われなかった行動催促報知に対応する行動予定を非了解行動予定とし、非了解行動予定を非了解行動予定一覧表として液晶パネル１２に表示する。例えば、液晶パネルに表示される画面上には非了解行動予定が存在するか否かを示す報知アイコンが規定されており、ＣＰＵは非了解行動予定が存在すると、報知アイコンを点灯する。そして、ユーザが報知アイコンをタッチ操作すると、ＣＰＵは非了解行動予定一覧表を表示する。【選択図】　　　図２
2004038307.tif 000002
【特許請求の範囲】
【請求項１】
予め入力された行動予定に基づいて該行動予定の実行を促す行動催促報知を行う情報端末装置において、
前記行動催促の報知に対してユーザが了解した旨の了解操作が行われたか否かを判定する判定手段と、
該判定手段によって前記了解操作が行われなかったと判定された非了解の行動予定が存在する場合に、前記非了解の行動予定が存在している旨を報知する非了解行動報知手段を有することを特徴とする情報端末装置。
【請求項２】
行動の予定時刻が設定時刻として予め入力されるとともに、前記行動予定の実行を促す行動催促の報知が前記設定時刻又は前記設定時刻前に報知されるものであって、
前記判定手段が少なくとも前記設定時刻以降に判定を行うことにより、前記非了解行動報知手段がその後報知を行うようにしたことを特徴とする請求項１に記載の情報端末装置。
【請求項３】
さらに、表示部を備え、前記非了解行動報知手段は前記表示部に所定の表示を行うことにより報知を行うものであって、
前記表示部に表示された前記非了解行動報知の表示領域へのポイント操作により、前記判定手段により了解操作が行われなかった行動予定の内容を前記表示部に表示する表示手段を備えたことを特徴とする請求項１又は２に記載の情報端末装置。
【請求項４】
予め入力された複数の時刻における行動予定に基づいて、該複数の行動予定の実行を促す行動催促の報知を前記複数の時刻に対して行う情報端末装置において、
前記複数の行動催促のそれぞれの報知に対して対応する行動予定の時刻以降にユーザが了解した旨の了解操作が行われたか否かを判定する判定手段と、
該判定手段によって前記了解操作が行われなかったと判定された非了解の行動予定が存在する場合に、前記該非了解の行動予定が存在している旨を表示して報知する非了解行動報知手段と、
前記表示された非了解行動報知の表示領域へのポイント操作により、現時点で前記判定手段により了解操作が行われなかった行動予定の全ての内容を一覧表示する表示手段とを有することを特徴とする情報端末装置。
【請求項５】
前記表示手段は、前記判定手段により了解操作が行われなかった行動予定に対する了解操作のための表示を併せて行うことを特徴とする請求項３又は４に記載の情報端末装置。
【請求項６】
前記表示された了解操作のための表示領域へのポイント操作により、前記表示手段は、前記了解のための表示に対応する行動予定の表示を削除することを特徴とする請求項３又は４に記載の情報端末装置。
【請求項７】
前記判定手段は、前記了解操作が行われなかった行動予定について非了解であることを示す識別子を付加し、前記表示手段は前記識別子に基づいて行動予定が非了解であるか否かを識別するようにしたことを特徴とする請求項３〜６のいずれかに記載の情報端末装置。
【請求項８】
表示部を備え、予め入力された行動予定に基づいて、該行動予定の実行を促す行動催促の表示を現在起動しているアプリケーションの表示よりも優先して前記表示部にて行う情報端末装置において、
前記行動催促の報知に対してユーザが了解した旨の了解操作が行われたか否かを判定する判定手段と、
該判定手段によって前記了解操作が行われなかったと判定された場合に、前記行動催促の表示よりも前記現在起動しているアプリケーションの表示を優先的に行う優先表示変更手段と、
前記判定手段によって前記了解操作が行われなかったと判定された非了解の行動予定が存在する場合に、前記非了解の行動予定が存在している旨を前記表示部に表示して報知する非了解行動報知手段を有することを特徴とする情報端末装置。
【請求項９】
予め入力された複数の行動予定と、前記複数の行動予定に対応して入力された複数の時刻とに基づいて、該複数の行動予定の実行を促す行動催促の表示を前記時刻に対応し、且つ現在起動しているアプリケーションの表示よりも優先して表示部に表示する行動催促表示手段と、
前記行動催促の報知に対してユーザが了解した旨の了解操作が行われたか否かをそれぞれ判定する判定手段と、
該判定手段によって前記了解操作が行われなかったと判定された場合に、前記行動催促の表示よりも前記現在起動しているアプリケーションの表示を優先的に行う優先表示変更手段とを備え、
前記行動催促表示手段は、前記複数の行動予定の内、前記判定手段によって前記了解操作が行われなかったと判定された非了解の行動予定と、現時点で実行を促す必要のある行動予定とを併せて表示することを特徴とする情報端末装置。
【請求項１０】
前記行動催促表示手段は、表示する各行動予定に対応して了解操作のための表示を併せて前記表示部に表示するとともに、表示された前期了解操作のための表示領域へのポイント操作により、対応する行動予定の表示を削除するようにしたことを特徴とする請求項９に記載の情報端末装置。
【請求項１１】
さらに、前記判定手段により前記了解操作が行われなかったと判定された非了解の行動予定が存在する場合に、前記非了解の行動予定が存在している旨を前記表示部に表示して報知する非了解行動報知手段と、
前記表示部に表示された前記非了解行動報知の表示領域へのポイント操作を検出する非了解ポイント検出手段とを備え、
前記優先表示変更手段は、新たな行動予定の実行を促す行動催促を表示すべき時刻の到来、前記非了解行動ポイント検出手段の検出結果により、前記行動催促表示による表示を前記現在起動しているアプリケーションの表示よりも優先して表示することを特徴とする情報端末装置。
【請求項１２】
予め入力された行動予定に基づいて該行動予定の実行を促す行動催促報知を行う情報端末装置で動作し、
前記行動催促の報知に対してユーザが了解した旨の了解操作が行われたか否かを判定する判定ステップと、
該判定ステップによって前記了解操作が行われなかったと判定された非了解の行動予定が存在する場合に、前記非了解の行動予定が存在している旨を報知する非了解行動報知ステップとを有することを特徴とするスケジュールプログラム。
【請求項１３】
予め入力された複数の時刻における行動予定に基づいて、該複数の行動予定の実行を促す行動催促の報知を前記複数の時刻に対して行う情報端末装置で動作し、
前記複数の行動催促のそれぞれの報知に対して対応する行動予定の時刻以降にユーザが了解した旨の了解操作が行われたか否かを判定する判定ステップと、
該判定ステップによって前記了解操作が行われなかったと判定された非了解の行動予定が存在する場合に、前記該非了解の行動予定が存在している旨を表示して報知する非了解行動報知ステップと、
前記表示された非了解行動報知の表示領域へのポイント操作により、現時点で前記判定ステップにより了解操作が行われなかった行動予定の全ての内容を一覧表示する表示ステップとを有することを特徴とするスケジュールプログラム。
【請求項１４】
予め入力された行動予定に基づいて、該行動予定の実行を促す行動催促の表示を現在起動しているアプリケーションの表示よりも優先して表示部にて行う情報端末装置で動作し、
前記行動催促の報知に対してユーザが了解した旨の了解操作が行われたか否かを判定する判定ステップと、
該判定ステップによって前記了解操作が行われなかったと判定された場合に、前記行動催促の表示よりも前記現在起動しているアプリケーションの表示を優先的に行う優先表示変更ステップと、
前記判定ステップによって前記了解操作が行われなかったと判定された非了解の行動予定が存在する場合に、前記非了解の行動予定が存在している旨を前記表示部に表示して報知する非了解行動報知ステップとを有することを特徴とするスケジュールプログラム。
【請求項１５】
情報端末装置上で動作し、予め入力された複数の行動予定と、前記複数の行動予定に対応して入力された複数の時刻とに基づいて、該複数の行動予定の実行を促す行動催促の表示を前記時刻に対応し、且つ現在起動しているアプリケーションの表示よりも優先して表示部に表示する行動催促表示ステップと、
前記行動催促の報知に対してユーザが了解した旨の了解操作が行われたか否かをそれぞれ判定する判定ステップと、
該判定手段によって前記了解操作が行われなかったと判定された場合に、前記行動催促の表示よりも前記現在起動しているアプリケーションの表示を優先的に行う優先表示変更ステップとを備え、
前記行動催促表示ステップでは、前記複数の行動予定の内、前記判定ステップによって前記了解操作が行われなかったと判定された非了解の行動予定と、現時点で実行を促す必要のある行動予定とを併せて表示することを特徴とするスケジュールプログラム。
【発明の詳細な説明】
【０００１】
【発明の属する技術分野】
本発明は、情報端末装置に関し、特に、行動予定に応じた行動を促すための行動催促報知を行う機能（例えば、スケジュール機能）を備える携帯情報端末装置（Ｐｅｒｓｏｎａｌ　Ｄｉｇｉｔａｌ　Ａｓｓｉｓｔａｎｔ：ＰＤＡ）及びこれに用いられるスケジュールプログラムに関するものである。
【０００２】
【従来の技術】
一般に、情報端末装置等においては、ユーザの行動予定を予め入力しておき、行動予定で設定された時刻が到来すると、行動を促すアラーム等を報知するようにしたものがある。例えば、スケジュールの時間到来、目覚まし時計の目覚まし設定時間の到来によってアラーム報知を行うようにした情報端末装置が知られている。
【０００３】
このようなスケジュール機能及びアラーム機能（以下単にスケジュール機能等と呼ぶ）においては、ブザー等を鳴動させて設定時間の到来を報知するものもあるが、動作中のアプリケーションに関係なく、設定時間が到来すると、ディスプレイ等の表示部にその旨（アラーム情報）を表示するようにしたものもある。そして、表示部にアラーム情報を表示するようにした情報端末装置では、そのアラーム情報を了解する旨の操作をユーザが実際に行うまで、当該アラーム情報が表示されることになって、ユーザに行動を促すことになる。
【０００４】
一方、このようなスケジュール機能を有する情報端末装置では、前述のように、ユーザによって入力された行動予定（スケジュール等）の全てを設定時刻とともに一覧表として表示する機能を備えており、この一覧表を呼び出して参照すれば、ユーザは過去、現在、将来の全てにわたってどのような行動予定が存在しているか直ちに確認できることになる。
【０００５】
【発明が解決しようとする課題】
ところで、上述のような情報端末装置に用いられているスケジュール機能等においては、設定時刻が到来するとアラーム情報を画面上に報知して、ユーザの行動を促すとともに、ユーザによって予め入力された行動予定の全てを設定時刻とともに一覧表として表示するものの、全ての行動予定が単に表示されるだけで、どの行動予定について忘却したか、また、ユーザがどの行動予定について実際に行動をしなかったかを前述の一覧表から直ちに認識することが難しい。
【０００６】
また、ユーザが他のアプリケーションを実行している際、アラーム情報が報知されると、当該アラーム情報を了解する旨の操作をユーザが実際に行うまで、現在実行中のアプリケーションが実行できないことがある。このため、ユーザは実行しているアプリケーションの処理を優先させがちであり、このアラーム情報に注意を払うことなく、当該アラーム情報に対して意識することなく、不用意や無意識に了解操作をしてしまうことがある。そして、このような了解操作を行ったが故、報知された行動予定を実行することなく、時間が経過してしまい、その後、前述のように一覧表を参照しても、どの行動予定が未実施であるか既に実施したものかを一覧表から直ちに認識することは難しいという課題がある。
【０００７】
本発明の目的は未実施の行動予定を直ちにしかも容易に把握することのできる情報端末装置及びスケジュールプログラムを提供することにある。
【０００８】
【課題を解決するための手段】
本発明によれば、予め入力された行動予定に基づいて該行動予定の実行を促す行動催促報知を行う情報端末装置において、前記行動催促の報知に対してユーザが了解した旨の了解操作が行われたか否かを判定する判定手段と、該判定手段によって前記了解操作が行われなかったと判定された非了解の行動予定が存在する場合に、前記非了解の行動予定が存在している旨を報知する非了解行動報知手段を有することを特徴とする情報端末装置が得られる。
【０００９】
本発明では、行動の予定時刻が設定時刻として予め入力されるとともに、前記行動予定の実行を促す行動催促の報知が前記設定時刻又は前記設定時刻前に報知されるものであって、前記判定手段が少なくとも前記設定時刻以降に判定を行うことにより、前記非了解行動報知手段がその後報知を行う。
【００１０】
本発明では、さらに、表示部を備え、前記非了解行動報知手段は前記表示部に所定の表示を行うことにより報知を行うものであって、前記表示部に表示された前記非了解行動報知の表示領域へのポイント操作により、前記判定手段により了解操作が行われなかった行動予定の内容を前記表示部に表示する表示手段を備えている。
【００１１】
本発明によれば、予め入力された複数の時刻における行動予定に基づいて、該複数の行動予定の実行を促す行動催促の報知を前記複数の時刻に対して行う情報端末装置において、前記複数の行動催促のそれぞれの報知に対して対応する行動予定の時刻以降にユーザが了解した旨の了解操作が行われたか否かを判定する判定手段と、該判定手段によって前記了解操作が行われなかったと判定された非了解の行動予定が存在する場合に、前記該非了解の行動予定が存在している旨を表示して報知する非了解行動報知手段と、前記表示された非了解行動報知の表示領域へのポイント操作により、現時点で前記判定手段により了解操作が行われなかった行動予定の全ての内容を一覧表示する表示手段とを有することを特徴とする情報端末装置が得られる。
【００１２】
本発明では、前記表示手段は、前記判定手段により了解操作が行われなかった行動予定に対する了解操作のための表示を併せて行う。
【００１３】
本発明では、前記表示された了解操作のための表示領域へのポイント操作により、前記表示手段は、前記了解のための表示に対応する行動予定の表示を削除する。
【００１４】
本発明では、前記判定手段は、前記了解操作が行われなかった行動予定について非了解であることを示す識別子を付加し、前記表示手段は前記識別子に基づいて行動予定が非了解であるか否かを識別する。
【００１５】
本発明によれば、表示部を備え、予め入力された行動予定に基づいて、該行動予定の実行を促す行動催促の表示を現在起動しているアプリケーションの表示よりも優先して前記表示部にて行う情報端末装置において、前記行動催促の報知に対してユーザが了解した旨の了解操作が行われたか否かを判定する判定手段と、該判定手段によって前記了解操作が行われなかったと判定された場合に、前記行動催促の表示よりも前記現在起動しているアプリケーションの表示を優先的に行う優先表示変更手段と、前記判定手段によって前記了解操作が行われなかったと判定された非了解の行動予定が存在する場合に、前記非了解の行動予定が存在している旨を前記表示部に表示して報知する非了解行動報知手段を有することを特徴とする情報端末装置が得られる。
【００１６】
本発明によれば、予め入力された複数の行動予定と、前記複数の行動予定に対応して入力された複数の時刻とに基づいて、該複数の行動予定の実行を促す行動催促の表示を前記時刻に対応し、且つ現在起動しているアプリケーションの表示よりも優先して表示部に表示する行動催促表示手段と、前記行動催促の報知に対してユーザが了解した旨の了解操作が行われたか否かをそれぞれ判定する判定手段と、該判定手段によって前記了解操作が行われなかったと判定された場合に、前記行動催促の表示よりも前記現在起動しているアプリケーションの表示を優先的に行う優先表示変更手段とを備え、前記行動催促表示手段は、前記複数の行動予定の内、前記判定手段によって前記了解操作が行われなかったと判定された非了解の行動予定と、現時点で実行を促す必要のある行動予定とを併せて表示することを特徴とする情報端末装置が得られる。
【００１７】
本発明では、前記行動催促表示手段は、表示する各行動予定に対応して了解操作のための表示を併せて前記表示部に表示するとともに、表示された前期了解操作のための表示領域へのポイント操作により、対応する行動予定の表示を削除する。
【００１８】
本発明では、さらに、前記判定手段により前記了解操作が行われなかったと判定された非了解の行動予定が存在する場合に、前記非了解の行動予定が存在している旨を前記表示部に表示して報知する非了解行動報知手段と、前記表示部に表示された前記非了解行動報知の表示領域へのポイント操作を検出する非了解ポイント検出手段とを備え、前記優先表示変更手段は、新たな行動予定の実行を促す行動催促を表示すべき時刻の到来、前記非了解行動ポイント検出手段の検出結果により、前記行動催促表示による表示を前記現在起動しているアプリケーションの表示よりも優先して表示することを特徴とする情報端末装置が得られる。
【００１９】
本発明によれば、予め入力された行動予定に基づいて該行動予定の実行を促す行動催促報知を行う情報端末装置で動作し、前記行動催促の報知に対してユーザが了解した旨の了解操作が行われたか否かを判定する判定ステップと、該判定ステップによって前記了解操作が行われなかったと判定された非了解の行動予定が存在する場合に、前記非了解の行動予定が存在している旨を報知する非了解行動報知ステップとを有することを特徴とするスケジュールプログラムが得られる。
【００２０】
本発明によれば、予め入力された複数の時刻における行動予定に基づいて、該複数の行動予定の実行を促す行動催促の報知を前記複数の時刻に対して行う情報端末装置で動作し、前記複数の行動催促のそれぞれの報知に対して対応する行動予定の時刻以降にユーザが了解した旨の了解操作が行われたか否かを判定する判定ステップと、該判定ステップによって前記了解操作が行われなかったと判定された非了解の行動予定が存在する場合に、前記該非了解の行動予定が存在している旨を表示して報知する非了解行動報知ステップと、前記表示された非了解行動報知の表示領域へのポイント操作により、現時点で前記判定ステップにより了解操作が行われなかった行動予定の全ての内容を一覧表示する表示ステップとを有することを特徴とするスケジュールプログラムが得られる。
【００２１】
本発明によれば、予め入力された行動予定に基づいて、該行動予定の実行を促す行動催促の表示を現在起動しているアプリケーションの表示よりも優先して表示部にて行う情報端末装置で動作し、前記行動催促の報知に対してユーザが了解した旨の了解操作が行われたか否かを判定する判定ステップと、該判定ステップによって前記了解操作が行われなかったと判定された場合に、前記行動催促の表示よりも前記現在起動しているアプリケーションの表示を優先的に行う優先表示変更ステップと、前記判定ステップによって前記了解操作が行われなかったと判定された非了解の行動予定が存在する場合に、前記非了解の行動予定が存在している旨を前記表示部に表示して報知する非了解行動報知ステップとを有することを特徴とするスケジュールプログラムが得られる。
【００２２】
本発明によれば、情報端末装置上で動作し、予め入力された複数の行動予定と、前記複数の行動予定に対応して入力された複数の時刻とに基づいて、該複数の行動予定の実行を促す行動催促の表示を前記時刻に対応し、且つ現在起動しているアプリケーションの表示よりも優先して表示部に表示する行動催促表示ステップと、前記行動催促の報知に対してユーザが了解した旨の了解操作が行われたか否かをそれぞれ判定する判定ステップと、該判定手段によって前記了解操作が行われなかったと判定された場合に、前記行動催促の表示よりも前記現在起動しているアプリケーションの表示を優先的に行う優先表示変更ステップとを備え、前記行動催促表示ステップでは、前記複数の行動予定の内、前記判定ステップによって前記了解操作が行われなかったと判定された非了解の行動予定と、現時点で実行を促す必要のある行動予定とを併せて表示することを特徴とするスケジュールプログラムが得られる。
【００２３】
【発明の実施の形態】
以下本発明について図面を参照して説明する。なお、図示の例における構成部品の寸法、材質、形状、その相対配置などは特に特定的な記載がない限りは、この発明の範囲をそれのみに限定する趣旨ではなく単なる説明例に過ぎない。
【００２４】
まず、図１を参照して、ここでは、情報端末装置として携帯情報端末装置を例にあげて説明する。図示の携帯情報端末装置（ＰＤＡ）は、ユーザが手のひらに把持できる大きさであり、外装ケース１１の前面にはほぼその全面にわたってタッチパネル１２ａを備える液晶パネル１２が配置されている（タッチパネル１２ａは、例えば、液晶パネル１２の表面に配置されている）。さらに、外装ケース１１には、後述するように、コントロールスイッチ（以下サイドコントローラと呼ぶ）１３、エスケープスイッチ１４、電源オン／オフスイッチ（以下電源スイッチと呼ぶ）１５、外部メモリ媒体が挿入される挿入スロット１６、各種データの送受信等を行う際に用いられる外部接続ターミナル１７、及びタッチペン（スタイラスペン）１８を収納するための収納部１９等が設けられている。
【００２５】
図１に示すように、サイドコントローラ１３、エスケープスイッチ１４、及び電源スイッチ１５は外装ケース１１の側面に一列に配置されており、図示の例では、図中上側から順にサイドコントローラ１３、エスケープスイッチ１４、及び電源スイッチ１５の順に配置されている。そして、サイドコントローラ１３は外装ケース１１を液晶パネル１２が正面にくるようにして、例えば、左手で把持した際に、サイドコントローラ１３が左手の親指が位置する可能性が高い位置に配置される。
【００２６】
サイドコントローラ１３の上側には外方向に延びる突起部１１ａが形成されており、サイドコントローラ１３の一部は外装ケース１１の側面に露出している。サイドコントローラ１１は図中実線矢印Ａで示す方向（上下方向）に所定の範囲で揺動可能（回動可能）に、外装ケース１１の正面（前面）から裏面方向に延びる軸体（図示せず）に支持されるとともに、軸体に直交する方向（図中側面から内側に向かう方向）に押圧可能（実線矢印Ｂ）に支持されている。この回動（揺動）範囲は、左手の親指による略一回の押し上げ又は押し下げ操作で回動（揺動）操作可能な範囲に制限されている。そして、サイドコントローラ１３の露出面には、例えば、波形の突起状部１３ａが形成されている。
【００２７】
前述のように、サイドコントローラ１３は、例えば、左手親指で回動（揺動）操作又は押圧操作される。この際、左手親指は突起状部１３ａに触れることになる。サイドコントローラ１３は操作されない状態においては所定の位置（以下基準位置と呼ぶ）に位置しており、左手親指で基準位置から上方向に押し上げ操作すると、所定の回動量（揺動量）だけサイドコントローラ１３は回動（揺動）してそれ以上回動（揺動）しない。そして、左手親指をサイドコントローラ１３から放すと（つまり、サイドコントローラ１３を回動（揺動）するための力をなくすと）、サイドコントローラ１３は自動的に基準位置に復帰する。
【００２８】
同様に、左手親指で基準位置から下方向に押し下げ操作すると、所定の回動量（揺動量）だけサイドコントローラ１３は回動（揺動）してそれ以上回動（揺動）しない。そして、左手親指をサイドコントローラ１３から放すとサイドコントローラ１３は自動的に基準位置に復帰する。なお、押圧操作は基準位置においてのみ行うことができる。また、サイドコントローラ１３は上述のように、ＰＤＡ自体を保持している左手親指で操作するため、この親指の動きは制限を受け、複雑な操作は困難となっている。従って、より複雑な操作を必要とする回動操作よりも揺動操作の方が操作しやすいため、サイドコントローラ１３は好ましくは揺動操作とすべきである。
【００２９】
サイドコントローラ１３は前述の回動操作（揺動操作）又は押圧操作に応じて操作信号を送出し、この操作信号に応じて、後述するように、各種処理が実行される。
【００３０】
前述のように、サイドコントローラ１３の下側にはエスケープスイッチ１４が配置され、エスケープスイッチ１４の下側には、電源スイッチ１５が配置され、電源スイッチ１５の表面には複数の点状突起が形成されている。そして、これらサイドコントローラ１３、エスケープスイッチ１４、及び電源スイッチ１５は、例えば、左手親指で操作できる位置に配置される。なお、図示の例では、エスケープスイッチ１４は押圧操作され（実線矢印Ｃ）、これによって、エスケープ（ＥＳＣ）信号が送出され、後述するようにして、エスケープ動作が行われる。電源スイッチ１５はスライド操作（実線矢印Ｄ）される（図中上側に押し上げると電源オンとなり、電源スイッチ１５は元の位置に戻る。そして、電源オンの状態で上側に押し上げると電源オフとなり、電源スイッチ１５は元の位置に戻る）。
【００３１】
外部接続ターミナル１７によって、図示のＰＤＡは、例えば、通信機能を備えた専用の充電装置（所謂クレイドル装置）と接続することによって、パーソナルコンピュータ等とデータの送受信を行うことができる。また、外部接続ターミナル１７によって充電を行うことができる。液晶パネル１２は、例えば、カラー液晶ディスプレイであり、必要に応じてバックライトが備えられる。タッチパネル１２ａは、例えば、タッチペン１８でタッチ（タップ）した際、その接触位置（タッチ位置）及び接触軌跡等を検出するタッチセンサを有している。
【００３２】
次に図２を参照して、図示のＰＤＡは、中央処理装置（ＣＰＵ）２１を有しており、ＲＯＭ等の記憶部２２に格納された制御プログラムに応じてＰＤＡ全体の制御を行うとともに、記憶部２２に格納されたアプリケーションプログラムに応じて後述する各種処理を実行する。なお、アプリケーションプログラムは挿入スロット１６に挿入される外部メモリ媒体から取り込まれる場合もある。さらに、ＣＰＵ２１にはＲＡＭ等の書き込み・読み出し可能な記憶部２２ａが接続されている（記憶部２２ａは電源がオフされてもその記憶した内容は消去されない）。
【００３３】
図示のように、ＣＰＵ２１にはサイドコントローラ操作検出部２３を介してサイドコントローラ１３が接続されるとともに、エスケープスイッチ操作検出部２４を介してエスケープスイッチ１４が接続される。さらに、ＣＰＵ２１には電源スイッチ操作検出部２５を介して電源スイッチ１５が接続されている。また、ＣＰＵ２１にはタッチパネル操作検出部２６を介してタッチパネル１２ａが接続されるとともに、液晶パネル駆動部２７を介して液晶パネル１２が接続されている。
【００３４】
いま、ＰＤＡが電源オフ状態である際に、電源スイッチ１５が押し上げ操作されると、電源スイッチ操作検出部２５ではこの押し上げ操作を検知して電源スイッチ１５操作信号をＣＰＵ２１に与える。ＣＰＵ２１では電源スイッチ操作信号に応答して、ＰＤＡを電源オン状態とする。そして、電源がオンとなると、ＣＰＵ２１は液晶パネル駆動部２７を駆動制御して液晶パネル１２上にアプリケーションプログラム（アプリケーション）の一つである初期画面（メニュー画面、以下このメニュー画面をランチャ画面と呼ぶ）を表示する。
【００３５】
ランチャ画面には、メニュー項目（選択項目）として、例えば、メール、ブラウザ、アドレス帳、スケジュール、メモ帳、ファイルビューア、システム、及び設定等がアイコンとともに表示される。つまり、記憶部２２にはこれらメニュー項目に関するアプリケーションプログラム（アプリケーションソフト）が格納されていることになる。ランチャ画面の下側にはツールバーが表示され、上側には、有用情報として年月日及び時刻が表示される。
【００３６】
サイドコントローラ１３を基準から上側に操作（揺動）すると、サイドコントローラ操作検出部２３ではこの上側操作を検知して、上側操作信号をＣＰＵ２１に与える。これによって、ＣＰＵ２１は、ランチャ画面においてカーソルを上側に移動させることになる。また、サイドコントローラ１３を基準から下側に操作すると、サイドコントローラ操作検出部２３ではこの下側操作を検知して、下側操作信号をＣＰＵ２１に与える。これによって、ＣＰＵ２１は、ランチャ画面においてカーソルを下側に移動させることになる。そして、メニュー項目の一つにカーソルを位置づけて、サイドコントローラ１３を押圧すると、サイドコントローラ操作検出部２３ではこの押圧操作を検知して、押圧操作信号をＣＰＵ２１に与える。これによって、ＣＰＵ２１は、カーソルが位置するメニュー項目を選択して、この選択したメニュー項目に係るアプリケーションプログラムが起動されて、当該メニュー項目に係る操作画面に遷移する。
【００３７】
ランチャ画面が表示されている際には、ランチャ画面の下側には、図３（ａ）に示すタスクバー（表示アイコン）３１が表示されており、このタスクバーには、例えば、ライト制御アイコン３１ａ、電池残量表示域３１ｂ、アプリケーションアイコン領域３１ｃ、報知アイコン（報知表示子）３１ｄ、ネットワークアイコン３１ｅ、設定ツールアイコン３１ｆ、ＩＭ設定アイコン３１ｇ、及びＩＭ入力アイコン３１ｈが規定されている。
【００３８】
ライト制御アイコン３１ａは、タップ操作によって液晶パネル１２を照らすフロントライトをオンオフ制御する際に用いられる。電池残量表示域３１ｂには電池残量が表示される（例えば、４段階（フル、半分程度、残少、及び要充電））。アプリケーションアイコン領域３１ｃには、起動中のアプリケーションアイコンが表示される。報知アイコン３１ｄは、後述するように、非了解行動予定が存在する際に、例えば、点灯して非了解行動予定の存在を報知する。ネットワークアイコン３１ｅには通信状態が接続状態であるか切断状態であるかが表示される。設定ツールアイコン３１ｆをタップ操作すると、各種設定に関するメニューが表示されることになる。ＩＭ設定アイコン３１ｇをタップすると各種入力に関する設定メニューが表示される。ＩＭ入力アイコン３１ｈをタップ操作すると、画面上にキーボードが表示され、タップ操作を行う毎に入力可能／不可能状態がトルグして切り換えられる。
【００３９】
一方、ランチャ画面以外のアプリケーションに応じた画面（例えば、メール、ブラウザ、アドレス帳、スケジュール、メモ帳、ファインビューア、システム、及び設定等に応じた画面）が表示されている際には、ランチャ画面の下側には、図３（ｂ）に示すタスクバー３２が表示される。このタスクバー３２には、例えば、ライト制御アイコン３１ａ、ランチャイコン３２ａ、アプリケーションアイコン領域３１ｃ、報知アイコン３１ｄ、ネットワークアイコン３１ｅ、設定ツールアイコン３１ｆ、ＩＭ設定アイコン３１ｇ、及びＩＭ入力アイコン３１ｈが規定されている。ランチャイコン３２ａをタップ操作すると、現在起動中のアプリケーションからランチャ画面表示へと切り換えられる。
【００４０】
ところで、ランチャ画面において、タップ操作又はサイドコントローラ１３操作によってスケジュールを選択すると、スケジュールに関するアプリケーションが起動され、スケジュール画面が液晶パネル１２に表示される。このスケジュール画面において作成ボタンをタップ操作すると、スケジュール作成画面が表示されて、各種行動予定を入力することができる。
【００４１】
このスケジュール作成画面には、例えば、タイトル欄、開始日時欄、期限日時欄、及び重要度を入力する重要度欄、及びコメント等のメモを入力するメモ欄が規定されており、これら各欄に所望の事項を入力して確定ボタンをタップ操作すると、ＣＰＵ２１は行動予定（行動スケジュール）として記憶部２２ａに記憶する。なお、ここでは、開始日時が設定時間に対応するものとする。
【００４２】
上述のようにして、行動スケジュールを設定すると、これら行動スケジュールは全て記憶部２２ａに格納されることになる。
【００４３】
また、ランチャ画面において、タップ操作又はサイドコントローラ１３操作によってアクセサリーを選択すると、アクセサリーメニュー項目が液晶パネル１２に表示される。このアクセサリーメニュー項目には、例えば、手書きメモ、目覚し時計、世界時計、及び電卓等があり、ここで、タップ操作又はサイドコントローラ１３操作によって目覚まし時計を選択すると、目覚し時計に関するアプリケーションが起動され、目覚まし時計画面が液晶パネル１２に表示される。そして、目覚まし時計画面において、目覚まし時刻を設定すると、目覚まし時刻が設定され、目覚まし時刻になると、目覚まし時計が鳴動して、報知が行われる。
【００４４】
前述のようにして設定された行動スケジュールが設定時間となると、ＣＰＵ２１は液晶パネル１２上に設定時間となった旨の報知を表示する。つまり、行動を促す行動催促報知が液晶パネル１２上に表示される。いま、ユーザがＰＤＡを使用中であるため（つまり、アプリケーションを起動中であるため）、この行動催促報知を無視してアプリケーションを続行すると（つまり、行動催促報知に対する了解を与えないと）、ＣＰＵ２１は所定の時間経過後、液晶パネル１２上からこの行動促進報知を消すことになる。そして、ＣＰＵ２１では、当該行動スケジュールが非了解であると判定して、記憶部２２ａに格納された該当する行動スケジュールに対して非了解であることを示すフラグ（識別子）を付加するとともに（つまり、非了解行動スケジュールとするとともに）、報知アイコン３１ｄを点灯させる。このとき、ＣＰＵ２１は液晶パネル１２上から上記行動促進報知を消すことなく、非了解であることを示すフラグを付加するとともに、報知アイコン３１ｄを点灯させてもよい。
【００４５】
このようにして、ＣＰＵ２１は設定時間に応じて行動促進報知を液晶パネル１２に表示して、非了解であると、記憶部２２ａに格納された該当する行動スケジュールに対してフラグを付加して非了解行動スケジュール（非了解行動予定）とするとともに、報知アイコン３１ｄを点灯させる。なお、報知アイコン３１ｄは非了解の行動予定が一つでもあると報知アイコン３１ｄを点灯させることになる。
【００４６】
上述のようにして、報知アイコン３１ｄが点灯した後、ユーザが報知アイコン３１ｄをタップ操作すると、ＣＰＵ２１は記憶部２２ａからフラグが付加された行動スケジュールを検索して、非了解行動スケジュールとして、その全てを一覧表（非了解行動スケジュール一覧）として液晶パネル１２に表示する。また、ＣＰＵ２１はユーザが報知アイコン３１ｄのタップ操作によらず、上述の非了解であることを示すフラグを付加した際に、非了解行動スケジュールの一覧表を予め作成してもよい。
【００４７】
例えば、図４に示すように、非了解行動スケジュール一覧はお知らせとして表示され、各非了解行動スケジュール毎にその開始時刻及び期限時刻が表示される。このお知らせには各非了解行動スケジュール欄毎に了解ボタン４１が規定されており、了解ボタン４１をタップ操作すると、ＣＰＵ２１は該当する非了解行動スケジュールが了解されたものとして、非了解行動スケジュール一覧表から削除するととともに、記憶部２２ａにおいて該当する非了解行動スケジュールに付加されたフラグを消去する。なお、非了解行動スケジュール一覧表の上側には年月日時刻を表示する日時領域４２が規定されるとともにその下側には前述のタスクバー３２が規定されている。また、お知らせの図中右側にスクロールボタン４３ａ及び４３ｂが配置され、スクロールボタン４３ａをタップ操作すると、お知らせ画面は上側にスクロールされ、スクロールボタン４３ｂをタップ操作すると、お知らせ画面は下側にスクロールされる。
【００４８】
このようにして、設定時間となって行動促進報知がなされても、行動スケジュールが了解されないと、報知アイコン３１ｄを点灯させ、この点灯した報知アイコン３１ｄをタップ操作すると、非了解行動スケジュールのみの一覧表を表示するようにしたから、ユーザは未実施の行動スケジュールを直ちにしかも容易に把握することができることになる。
【００４９】
さらに、非了解行動スケジュールが存在すると、報知アイコン３１ｄを点灯するようにしたから、ユーザは非了解行動スケジュールの存在を容易に認識できることになる。また、非了解スケジュールの一覧表を表示している状態で、個別の非了解スケジュール毎に、了解操作が可能であり、ユーザにとって必要な非了解行動スケジュールのみに編集作業ができ、ユーザにとって残しておきたい非了解行動スケジュールのみ一覧表示することができる。
【００５０】
なお、ＣＰＵ２１は了解及び非了解に係わらず、全ての行動スケジュールを表示する旨の入力（タッチ操作等）があると、全ての行動スケジュールを液晶パネル１２に表示する。
【００５１】
以上のように、行動催促報知の各々について了解した旨の了解操作が行われたか否かを判定して、了解操作が行われなかったと判定されると所定の入力操作に応じて了解操作が行われなかった行動催促報知に対応する行動予定を非了解行動予定とし、非了解行動予定を非了解行動予定一覧表として表示部に表示するようにしたから、ユーザは未実施の行動予定を直ちにしかも容易に把握することができるという効果がある。
【００５２】
表示部に表示される画面上には非了解行動予定が存在するか否かを示す報知表示子を規定して、非了解行動予定が存在すると報知表示子によって非了解行動予定の存在を知らせるようにしたから、非了解行動予定の存在を容易に認識できるという効果がある。
【００５３】
非行動予定一覧表において非了解行動予定が了解されると、当該非了解行動予定を削除するようにしたから、常に非行動予定一覧表には未実施の行動予定が掲載されることになって、ユーザが容易に未実施の行動予定を把握することができるという効果がある。
【００５４】
非了解行動予定が存在する際、報知表示子を点灯制御して、報知表示子が点灯している際、報知表示子が所定の入力操作であるタッチ操作されると、非了解行動予定一覧表を表示部に表示するようにしたから、ユーザは報知表示子の点灯によって非了解行動予定が存在することを簡単に認識することができ、しかも、報知表示子をタッチ操作するだけで、非了解行動予定一覧表を表示部に表示することができるという効果がある。
【００５５】
了解操作が行われない行動予定について非了解であることを示す識別子を付加し、この識別子に基づいて行動予定が非了解であるか否かを識別するようにしたから、容易に非行動予定のみを抽出できるという効果がある。
【００５６】
【発明の効果】
以上説明ように、本発明によれば、未実施の行動予定を直ちにしかも容易に把握することのできるという効果がある。
【図面の簡単な説明】
【図１】本発明による携帯情報端末装置の一例の外観を示す斜視図である。
【図２】図１に示す携帯情報端末装置で用いられる制御系の一例を示すブロック図である。
【図３】図１に示す携帯情報端末装置に表示されるタスクバーの一例を示す図であり、（ａ）ランチャ画面におけるタスクバーを示す図、（ｂ）はランチャ画面以外の画面におけるタスクバーを示す図である。
【図４】図１に示す携帯情報端末装置において表示される非了解行動スケジュール一覧表の一例を示す図である。
【符号の説明】
１１　外装ケース
１２　液晶パネル
１３　コントロールスイッチ（サイドコントローラ）
１４　エスケープスイッチ
１５　電源オン／オフスイッチ（電源スイッチ）
１６　挿入スロット
１７　外部接続ターミナル
１８　タッチペン（スタイラスペン）
１９　収納部
２１　中央処理装置（ＣＰＵ）
２２　記憶部
２３　サイドコントローラ操作検出部
２４　エスケープスイッチ操作検出部
２５　電源スイッチ操作検出部
２６　タッチパネル操作検出部
２７　液晶パネル駆動部
【図１】
2004038307.tif 000003
【図２】
2004038307.tif 000004
【図３】
2004038307.tif 000005
【図４】
2004038307.tif 000006